(57)【特許請求の範囲】
【請求項１】
電池の外側面をなすケース（Ｃａｓｅ）と、
前記ケースの内部に位置し、クローバー形の断面を有する固体電解質チューブ（ｔｕｂｅ）とを含み、
前記ケースの断面形状は、前記ケースと前記固体電解質チューブとの間の空間を最小化するために、前記固体電解質チューブのクローバー形と同じクローバー形に形成されるＮａＮｉＣｌ電池。
【請求項２】
前記ケースのクローバー形の断面は、前記固体電解質チューブのクローバー形の断面に対応して形成される、請求項１に記載のＮａＮｉＣｌ電池。
【請求項３】
前記ケースと前記固体電解質チューブとの間は、前記ケースと前記固体電解質チューブとの間の空間を最小化できるように、前記ケースの周りに沿って一定の間隔を有する、請求項２に記載のＮａＮｉＣｌ電池。
【請求項４】
前記ケースは、クローバー形形状をなすように、前記ケースの中心を基準として一定の間隔で膨らむように突出する４つの凸部と、
前記ケースの中心を基準として一定の間隔で凹むように陥入し、前記凸部と対応結合するための４つの凹部とを含む、請求項１〜３のいずれか１項に記載のＮａＮｉＣｌ電池。
【請求項５】
前記凸部は、ケースの中心を基準として一定の大きさの曲率を有し、ケースの中心から外側方向に突出する曲面形に形成される、請求項４に記載のＮａＮｉＣｌ電池。
【請求項６】
前記凹部は、互いに隣接する凸部を連結するように一定の大きさの曲率を有し、ケースの外側から中心側に陥入する曲面形に形成される、請求項５に記載のＮａＮｉＣｌ電池。
【請求項７】
電池の外側面をなすケース（Ｃａｓｅ）と、前記ケースの内部に位置し、クローバー形の断面を有する固体電解質チューブ（ｔｕｂｅ）とを含み、前記ケースの断面形状は、固体電解質チューブのクローバー形と同じクローバー形に形成される複数のＮａＮｉＣｌ電池を含み、
モジュール空間の効率を高められるように、モジュールケース内に１つのＮａＮｉＣｌ電池の凸部および凹部は、前記１つのＮａＮｉＣｌ電池の凸部および凹部に隣接する他の１つのＮａＮｉＣｌ電池の凹部および凸部とそれぞれ対応結合する方式で複数のＮａＮｉＣｌ電池を配置して構成されるＮａＮｉＣｌ電池を用いたモジュール。
【請求項８】
前記ケースは、クローバー形形状をなすように、前記ケースの中心を基準として一定の間隔で膨らむように突出する４つの凸部と、
前記ケースの中心を基準として一定の間隔で凹むように陥入し、前記凸部と対応結合するための４つの凹部とを含む、請求項７に記載のＮａＮｉＣｌ電池を用いたモジュール。
【請求項９】
前記凸部は、ケースの中心を基準として一定の大きさの曲率を有し、ケースの中心から外側方向に突出する曲面形に形成される、請求項８に記載のＮａＮｉＣｌ電池を用いたモジュール。
【請求項１０】
前記凹部は、互いに隣接する凸部を連結するように一定の大きさの曲率を有し、ケースの外側から中心側に陥入する曲面形に形成される、請求項９に記載のＮａＮｉＣｌ電池を用いたモジュール。
【発明の詳細な説明】
【技術分野】
【０００１】
本発明は、ＮａＮｉＣｌ電池とこれを用いたモジュールに関し、より詳細には、ＮａＮｉＣｌ電池から構成されたモジュールの体積を低減するために、ＮａＮｉＣｌ電池の新たな形態を提示し、これを用いてモジュールを構成するＮａＮｉＣｌ電池とこれを用いたモジュールに関する。
【背景技術】
【０００２】
一般に、ＮａＮｉＣｌ電池は、図１に示されているように、直方体形態を有しており、図２に示されているように、モジュールケース１内に複数の直方体形態のＮａＮｉＣｌ電池３を並列に配置してモジュールを構成する。
【０００３】
図３は、従来技術に係るＮａＮｉＣｌ電池の概略的な断面図であり、図４は、従来技術に係るＮａＮｉＣｌ電池の内部に入っている付属品のクローバー型固体電解質チューブ（ＢＡＳＥ：Ｂｅｔａ  Ａｌｕｍｉｎａ  Ｓｏｌｉｄ  Ｅｌｅｃｔｒｏｌｙｔｅ）の写真である。
【０００４】
図３および図４を参照すれば、ＮａＮｉＣｌ電池の固体電解質チューブ７は、クローバー形の断面形状に形成され、電池ケース（ｃｅｌｌ  ｃａｓｅ）５は、四角形の断面形状に形成される。
【０００５】
前記電池ケース５内に前記固体電解質チューブ７が位置しており、前記電池ケース５の断面形状は四角形に形成され、前記固体電解質チューブ７の断面形状はクローバー形に形成されているため、前記電池ケース５の四角形と前記固体電解質チューブ７のクローバー形との間に不必要な空間９が発生する問題があった。
【発明の概要】
【発明が解決しようとする課題】
【０００６】
本発明は、ＮａＮｉＣｌ電池から構成されたモジュールの体積を低減するためにＮａＮｉＣｌ電池の新たな形態を提示し、これを用いてモジュールを構成するＮａＮｉＣｌ電池とこれを用いたモジュールを提供する。
【課題を解決するための手段】
【０００７】
本発明の一実施形態によれば、電池の外側面をなすケース（Ｃａｓｅ）と、
前記ケースの内部に位置し、クローバー形の断面を有する固体電解質チューブ（ｔｕｂｅ）とを含み、
前記ケースの断面形状は、前記ケースと前記固体電解質チューブとの間の空間を最小化するために、前記固体電解質チューブのクローバー形と同じクローバー形に形成されるＮａＮｉＣｌ電池が提供される。
【０００８】
前記ケースの断面形状は、前記ケースと前記固体電解質チューブとの間の空間を最小化するために、前記固体電解質チューブのクローバー形と同じクローバー形に形成される。
【０００９】
前記ケースのクローバー形の断面は、前記固体電解質チューブのクローバー形の断面に対応して形成される。
【００１０】
前記ケースと前記固体電解質チューブとの間は、前記ケースと前記固体電解質チューブとの間の空間を最小化できるように、前記ケースの周りに沿って一定の間隔を有することができる。
【００１１】
前記ケースは、クローバー形形状をなすように、前記ケースの中心を基準として一定の間隔で膨らむように突出する４つの凸部と、
前記ケースの中心を基準として一定の間隔で凹むように陥入し、前記凸部と対応結合するための４つの凹部とを含むことができる。
【００１２】
前記凸部は、ケースの中心を基準として一定の大きさの曲率を有し、ケースの中心から外側方向に突出する曲面形に形成される。
【００１３】
前記凹部は、互いに隣接する凸部を連結するように一定の大きさの曲率を有し、ケースの外側から中心側に陥入する曲面形に形成される。
【００１４】
また、本発明の他の実施形態によれば、電池の外側面をなすケース（Ｃａｓｅ）と、前記ケースの内部に位置し、クローバー形の断面を有する固体電解質チューブ（ｔｕｂｅ）とを含み、前記ケースの断面形状は、固体電解質チューブのクローバー形と同じクローバー形に形成される複数のＮａＮｉＣｌ電池を含み、
モジュール空間の効率を高められるように、モジュールケース内に１つのＮａＮｉＣｌ電池の凸部および凹部は、前記１つのＮａＮｉＣｌ電池の凸部および凹部に隣接する他の１つのＮａＮｉＣｌ電池の凹部および凸部とそれぞれ対応結合する方式で複数のＮａＮｉＣｌ電池を配置して構成されるＮａＮｉＣｌ電池を用いたモジュールが提供される。
【００１５】
前記ケースは、クローバー形形状をなすように、前記ケースの中心を基準として一定の間隔で膨らむように突出する４つの凸部と、
前記ケースの中心を基準として一定の間隔で凹むように陥入し、前記凸部と対応結合するための４つの凹部とを含むことができる。
【００１６】
前記凸部は、ケースの中心を基準として一定の大きさの曲率を有し、ケースの中心から外側方向に突出する曲面形に形成される。
【００１７】
前記凹部は、互いに隣接する凸部を連結するように一定の大きさの曲率を有し、ケースの外側から中心側に陥入する曲面形に形成される。
【発明の効果】
【００１８】
本発明の実施形態によれば、ＮａＮｉＣｌ電池から構成されたモジュールの体積を低減するために、ＮａＮｉＣｌ電池の新たな形態を提示し、これを用いてモジュールを構成することによって、ＮａＮｉＣｌ電池から構成されたモジュールの体積を低減することができる。
【図面の簡単な説明】
【００１９】
【図１】図１は、従来技術に係るＮａＮｉＣｌ電池の図である。
【図２】図２は、ＮａＮｉＣｌ電池モジュールを示す概略的な斜視図である。
【図３】図３は、従来技術に係るＮａＮｉＣｌ電池の概略的な断面図である。
【図４】図４は、従来技術に係るＮａＮｉＣｌ電池の内部に入っている付属品のクローバー型固体電解質チューブ（ＢＡＳＥ：Ｂｅｔａ  Ａｌｕｍｉｎａ  Ｓｏｌｉｄ  Ｅｌｅｃｔｒｏｌｙｔｅ）の図である。
【図５】図５は、本発明の一実施形態に係るＮａＮｉＣｌ電池の概略的な断面図である。
【図６】図６は、本発明の一実施形態に係るＮａＮｉＣｌ電池の配置状態を示す概略的な断面図である。
【図７】図７は、本発明の一実施形態に係るＮａＮｉＣｌ電池を用いたモジュールの概略的な構成図である。
【発明を実施するための形態】
【００２０】
以下、添付した図面を参照して、本発明の属する技術分野における通常の知識を有する者が容易に実施できるように本発明の実施形態を説明する。本発明の属する技術分野における通常の知識を有する者が容易に理解できるように、後述する実施形態は、本発明の概念と範囲を逸脱しない限度内で多様な形態に変形可能である。できるだけ同一であるか類似の部分は、図面において同一の図面符号を用いて示す。
【００２１】
以下で使用される専門用語は、単に特定の実施形態を言及するためのものであり、本発明を限定することを意図しない。ここで使用される単数形態は、文章がこれと明確に反対の意味を示さない限り、複数形態も含む。明細書で使用される「含む」の意味は、特定の特性、領域、整数、段階、動作、要素および／または成分を具体化し、他の特定の特性、領域、整数、段階、動作、要素、成分および／または群の存在や付加を除外させるものではない。
【００２２】
以下で使用される技術用語および科学用語を含む全ての用語は、本発明の属する技術分野における通常の知識を有する者が一般に理解する意味と同一の意味を有する。事前に定義された用語は、関連技術文献と現在開示された内容に符合する意味を有すると追加解釈され、定義されない限り、理想的または非常に公式的な意味で解釈されない。
【００２３】
図５は、本発明の一実施形態に係るＮａＮｉＣｌ電池の概略的な断面図である。
図５を参照すれば、本発明の一実施形態に係るＮａＮｉＣｌ電池１０は、電池の外側面をなすケース（Ｃａｓｅ）１００と、
前記ケース１００の内部に位置し、クローバー形の断面を有する固体電解質チューブ（ｔｕｂｅ）２００とを含み、
前記ケース１００の断面形状は、前記ケース１００と前記固体電解質チューブ２００との間の空間を最小化するために、前記固体電解質チューブ２００のクローバー形と同じクローバー形に形成される。
【００２４】
前記ケース１００のクローバー形の断面は、前記固体電解質チューブ２００のクローバー形の断面に対応して形成される。
【００２５】
前記ケース１００と前記固体電解質チューブ２００との間は、前記ケース１００と前記固体電解質チューブ２００との間の空間を最小化できるように、前記ケース１００の周りに沿って一定の間隔を有することができる。
【００２６】
前記ケース１００は、クローバー形形状をなすように、前記ケース１００の中心を基準として一定の間隔で膨らむように突出する４つの凸部１１０、１２０、１３０、１４０と、前記ケース１００の中心を基準として一定の間隔で凹むように陥入し、前記凸部１１０、１２０、１３０、１４０と対応結合するための４つの凹部１５０、１６０、１７０、１８０とを含むことができる。
【００２７】
前記凸部１１０、１２０、１３０、１４０は、前記ケース１００の中心を基準として一定の大きさの曲率を有し、前記ケース１００の中心から外側方向に突出する曲面形に形成される。
【００２８】
また、前記凹部１５０、１６０、１７０、１８０は、互いに隣接する凸部１１０、１２０、１３０、１４０を連結するように一定の大きさの曲率を有し、前記ケース１００の外側から中心側に陥入する曲面形に形成される。
【００２９】
図６は、本発明の一実施形態に係るＮａＮｉＣｌ電池の配置状態を示す概略的な断面図である。
図６を参照すれば、１つのＮａＮｉＣｌ電池１０の凸部１１０、１２０、１３０、１４０および凹部１５０、１６０、１７０、１８０は、前記１つのＮａＮｉＣｌ電池１０の凸部および凹部に隣接する他の１つのＮａＮｉＣｌ電池の凹部１５０、１６０、１７０、１８０および凸部１１０、１２０、１３０、１４０と対応結合する。
【００３０】
また、図７は、本発明の一実施形態に係るＮａＮｉＣｌ電池を用いたモジュールの概略的な構成図である。
図７を参照すれば、ＮａＮｉＣｌ電池を用いたモジュール３００は、モジュール空間の効率を高められるように、モジュールケース３１０内に１つのＮａＮｉＣｌ電池１０の凸部および凹部は、前記１つのＮａＮｉＣｌ電池１０の凸部および凹部に隣接する他の１つのＮａＮｉＣｌ電池１０の凹部および凸部とそれぞれ対応結合する方式で複数のＮａＮｉＣｌ電池を配置して構成される。
【００３１】
以下、図５〜図７を参照して、本発明の一実施形態に係るＮａＮｉＣｌ電池およびこれを用いたモジュールの作用について説明する。
【００３２】
前記ケース１００の断面形状は、前記固体電解質チューブ２００のクローバー形と同じクローバー形に形成されているため、前記ケース１００と前記固体電解質チューブ２００との間の空間を最小化することができる。
【００３３】
また、前記ケース１００は、前記ケース１００の中心を基準として一定の間隔で膨らむように突出する４つの凸部１１０、１２０、１３０、１４０と、前記ケース１００の中心を基準として一定の間隔で凹むように陥入し、前記凸部１１０、１２０、１３０、１４０と対応結合するための４つの凹部１５０、１６０、１７０、１８０とを含んでいるため、クローバー形形状に形成される。
【００３４】
さらに、前記凸部１１０、１２０、１３０、１４０は、前記ケース１００の中心を基準として一定の大きさの曲率を有し、前記ケース１００の中心から外側方向に突出する曲面形に形成され、
前記凹部１５０、１６０、１７０、１８０は、互いに隣接する凸部１１０、１２０、１３０、１４０を連結するように一定の大きさの曲率を有し、前記ケース１００の外側から中心側に陥入する曲面形に形成されているため、
１つのＮａＮｉＣｌ電池１０の凸部１１０、１２０、１３０、１４０および凹部１５０、１６０、１７０、１８０は、前記１つのＮａＮｉＣｌ電池１０の凸部および凹部に隣接する他の１つのＮａＮｉＣｌ電池の凹部１５０、１６０、１７０、１８０および凸部１１０、１２０、１３０、１４０と対応結合する。
【００３５】
したがって、前記ＮａＮｉＣｌ電池を用いたモジュール３００は、モジュールケース３１０内に１つのＮａＮｉＣｌ電池１０の凸部および凹部は、前記１つのＮａＮｉＣｌ電池１０の凸部および凹部に隣接する他の１つのＮａＮｉＣｌ電池１０の凹部および凸部とそれぞれ対応結合する方式で複数のＮａＮｉＣｌ電池を配置して構成されるため、モジュール空間の効率を高めることができ、これによってＮａＮｉＣｌ電池から構成されたモジュールの体積を低減することができる。
【符号の説明】
【００３６】
１０：ＮａＮｉＣｌ電池
１００：ケース
２００：固体電解質チューブ
３００：ＮａＮｉＣｌ電池を用いたモジュール
３１０：モジュールケース
【図１】
0006415728.tif 000002
【図２】
0006415728.tif 000003
【図３】
0006415728.tif 000004
【図４】
0006415728.tif 000005
【図５】
0006415728.tif 000006
【図６】
0006415728.tif 000007
【図７】
0006415728.tif 000008